(57)【要約】  棚ユニット、本棚、引き出しユニット、ベッドフレーム、種々の台座等の家具部品及び家具の付属品のための接合器具（１０）であって、接合器具（１０）は、接合すべき家具アイテムの構成要素の１つに形成された座に挿入されるのに適したケーシング又は容器体（１１）を備え、このケーシング又は容器体の第１の端部又は前部開口端部（９０）に対して外側に突出し且つケーシング又は容器体（１１）が挿入される構成要素に接合すべき家具アイテムの別の構成要素の別の座と係合するのに適した拡張軸受筒（２４）を設け、この接合器具は、拡張軸受筒（２４）の拡張変形運動と協働する作動手段の直線運動と、ケーシング又は容器体（１１）の少なくとも一部分（１５）との同時の拡張のためのカム機構（２６）を備え、このカム機構及び作動手段は、ケーシング又は容器体（１１）に収容され、工具（５４）によって作動される。【選択図】図１
2019516913.tif 000002
【特許請求の範囲】
【請求項１】
棚ユニット、本棚、引き出しユニット、ベッドフレーム、台座等の家具部品及び家具の付属品のための接合器具（１０）であって、接合すべき前記家具アイテムの構成要素の１つに形成された座に挿入されるのに適したケーシング又は容器体（１１）を備え、前記ケーシング又は容器体の第１の端部又は前部開口端部（９０）に対して外側に突出し且つ前記ケーシング又は容器体（１１）が挿入される前記構成要素に接合すべき前記家具アイテムの別の構成要素の別の座と係合するのに適した拡張軸受筒（２４）を設ける接合器具（１０）において、前記接合器具は、前記拡張軸受筒（２４）の拡張変形運動と協働する作動手段の直線運動と、前記ケーシング又は容器体（１１）の少なくとも一部分（１５）との同時の拡張のためのカム機構（２６）を備え、前記カム機構及び作動手段は、前記ケーシング又は容器体（１１）に収容され、工具（５４）によって作動されることを特徴とする、接合器具（１０）。
【請求項２】
前記作動手段が、前記ケーシング又は容器体（１１）の前記前部開口端部の方向に形成されて前記拡張軸受筒（２４）に摺動自在に挿入される前部（２９）と、前記容器体（１１）の第２の端部又は後部開口端部（９１）の傾斜縁部（９３）に配置されるくさび形ベース部分（８２）と、を含むスライダ（２２）を備え、前記少なくとも一部分（１５）は、前記スライダ（２２）の前記直線運動時に拡張が決定されるように配置されることを特徴とする、請求項１に記載の接合器具。
【請求項３】
前記カム機構（２６）が、外側側面の中央部分に中央本体（４２）を備え、前記中央本体（４２）の軸線に垂直な平面に沿って形成され且つ前記スライダ（２２）の内部輪郭と接触するのに適したロブ（４６）を形成することを特徴とする、請求項２に記載の接合器具。
【請求項４】
前記カム機構（２６）の前記中央本体（４２）が、前記カム機構（２６）の回転を作動させるのに適した前記工具（５４）の導入を可能にする随意的に貫通して形成された中心穴（５２）を備えることを特徴とする、請求項３に記載の接合器具。
【請求項５】
前記接合器具が、前記カム機構（２６）によって前記スライダ（２２）に対して往復的に摺動する第２のスライダ（２０）を設け、前記拡張軸受筒（２４）の後方への牽引運動を規定することを特徴とする、請求項２に記載の接合器具。
【請求項６】
前記第２のスライダ（２０）が、前記容器体（１１）の前部開口端部（９０）の方向を指向し、前記スライダ（２２）の前記前部（２９）に挿入された前記拡張軸受筒（２４）を一体的に支持するのに適したヘッド部分（２１）を備えることを特徴とする、請求項５に記載の接合器具。
【請求項７】
前記カム機構（２６）が、前記第２のスライダ（２０）の内部輪郭と接触するのに適した前記ロブ（４６）に実質的に対向して平行な第２のロブ（４４）を備えることを特徴とする、請求項６に記載の接合器具。
【請求項８】
前記拡張軸受筒（２４）が、単一部品で作られ、半径方向に形成された歯（４０）が外側に設けられた４つの翼部３８を構成するように、直径方向の垂直面に沿って作られたクロスカット（３７）を含むことを特徴とする、請求項１から７のいずれか一項に記載の接合器具。
【請求項９】
前記ケーシング又は容器体（１１）が、第１の半シェル（１２）及び第２の半シェル（１４）を備え、前記第１の半シェル（１２）及び前記第２の半シェル（１４）のそれぞれが、前記半シェルの長手方向軸線に垂直な方向且つ前記スライダ（２２）の貫通スロット（３２）及び前記第２のスライダ（２０）の別の貫通スロット（２７）と同軸に形成されたそれぞれの穴又は貫通開口部（１８，１８’）を有し、前記穴（１８，１８’）は、前記カム機構（２６）の前記中央本体（４２）の上部と下部をそれぞれ保持し、前記カム機構の回転を支持するのに適していることを特徴とする、請求項３から８のいずれか一項に記載の接合器具。
【請求項１０】
請求項１から４のいずれか一項に記載の接合器具（１０）を用いてモジュール式家具（６０）の部品又は家具の付属品を接合する方法において、前記方法が、
接合すべき構成要素の１つの厚さ方向に形成された溝又はポケット（６６）に前記接合器具（１０）を挿入するステップであって、前記軸受筒（２４）の前部が前記溝又はポケット（６６）の外側に突出し、接合すべき他の構成要素の厚さ方向に形成された別のポケット（６８）に挿入される、ステップと、
前記スライダ（２２）に推力作用を及ぼし、前記溝又はポケット（６６）の側面に半径方向の圧力を及ぼすための前記軸受筒の拡張及び前記ケーシング又は容器体（１１）の前記少なくとも一部分（１５）の同時の拡張をもたらすために、前記カム機構（２６）を回転作動させるステップと
を含むことを特徴とする、方法。
【請求項１１】
請求項５から９のいずれか一項に記載の接合器具（１０）を用いてモジュール式家具（６０）の部品又は家具の付属品を接合する方法であって、前記方法が、前記第２のスライダ（２０）に推進作用を及ぼし、前記ケーシング又は容器体（１１）に対して後方に移動する前記拡張軸受筒（２４）に牽引力を加えて、前記接合すべき別の構成要素に対する牽引作用と共に前記溝又はポケット（６６）の側面に半径方向の圧力をさらに作用させるために、前記カム機構（２６）に第２の回転作動をさせるステップを含むことを特徴とする、請求項１０に記載の方法。
【請求項１２】
前記カム機構の前記第１の回転作動中に、前記第２のスライダ（２０）は静止したまま前記スライダ（２２）は前方に並進し、及び前記カム機構の前記第２の回転作動中に、前記スライダ（２２）は静止したまま前記第２のスライダ（２０）は後方に並進することを特徴とする、請求項１１に記載の家具部品を接合する方法。
【発明の詳細な説明】
【技術分野】
【０００１】
本発明は、家具部品及び家具の付属品を接合するための改良された器具に関する。
【０００２】
より詳細には、本発明は、棚ユニット、本棚、引き出しユニット、ベッドフレーム、台座等の家具及び／又は家具の付属品の組み立てに適した器具に関する。
【背景技術】
【０００３】
既知のように、家具及び家具の付属品は、往々にして各部品を安定して取り外し可能に接合することによって作製され、これにより、全体的な組立構造が構成され、例えば、本棚又は棚ユニット、椅子又他の家具は、単一の部品で構成されず、各部品の組み合わせで構成される。
【０００４】
このようなキット構造は、例えば、それが嵩張るものであっても、その構成の運送時に融通を利かせ、現場で家具を直に設置することを可能にし、又は熟練していない使用者でも運搬や組み立てを行うこと可能にする等、かなりの利点を伴う。
【０００５】
家具の異なる各構成要素や各部品を相互に接合するために用いられる保持要素は、例えば、連結棒又は軸受筒、カム及び同様の手段によって構成される。
【０００６】
一例として、本棚タイプの家具アイテム又は棚ユニットに注目すると、典型的には、互いに平行に配置される傾向にある２つの垂直な支柱を備え、それらの間には支柱の長手方向で規定される平面に垂直な平面に沿って、本、雑誌、花瓶、及び／又は他の複数の異なる物体を留め、支持する面を規定する機能を有する１つ又は複数の棚が挿入される。
【０００７】
フレーム及びこのフレームに対する棚からなる構造の組み立ては、棚（又は支柱）の厚さ方向に挿入された軸受筒やカムに代表されるとともに、支柱（又は棚）に挿入された対応するピン又はねじを用いたクランプによって協働する保持手段を使用して実行され、この協働行為は、適切な工具（ドライバー又はアレンキーなど）を使用して作動され、これにより、軸受筒又はカムの回転を引き起こし、軸受筒又はカムに対してピン又はねじが拘束される。
【０００８】
しかしながら、これらのクランプ又は拘束手段は、（棚及び支柱の両方の）相互結合において（軸受筒及びねじ又はピンの）協働の際、各要素を収容するための溝を形成する必要があるといういくつかの大きな欠点を伴う。
【０００９】
さらに、クランプ手段は、作業者が軸受筒又はカムとねじ又はピンをそれぞれの座に挿入し、続いてクランプを行うためにねじ又はピンを作用させなければならないので、組み立て時間が長くなる。
【００１０】
これらの欠点を解決するために、支柱又は棚の厚さ方向に挿入するのに適した拡張継ぎ手の使用を伴う他の取り外し可能な接合方法が開発されており、ここで用いられる継ぎ手は、プラスチック材で作られた典型的な収縮軸受筒と、この軸受筒へ同軸に挿入されるねじと、同様に、接合すべき部品の１つの厚さ方向に形成された溝に挿入され且つ拡張継ぎ手のねじ又はピンと結合するのに適した偏心軸受筒と、を含む。家具の２つの構成要素の間の相互クランプは、偏心軸受筒に作用する工具を作動させることで実現され、これにより、回転して軸受筒に対してピンが後方に移動し、ここで、ピンは、結果的に同じ軸受筒を半径方向に拡張するように挿入される。
【００１１】
しかしながら、これらの従来の拡張継ぎ手は、組み立てられる部品の両方に挿入される要素を備え、結果的にこれらの家具部品に適切な溝及び座を形成する必要があるという事実に関連したいくつかの大きな欠点も伴う。
【００１２】
別の欠点は、使用者が接合すべき部品の座に拡張継ぎ手の要素を挿入しなければならず、その後、偏心軸受筒を作動させてピンを動かし、これにより、座内の軸受筒を拡張させなければならないという点で、組み立て時間が長くなることに関連する。
【００１３】
別の欠点は、偏心軸受筒が緩み、その結果、ピンが移動して軸受筒における非拡張位置へ戻り、これにより、家具部品間のクランプ拘束の不可避的な緩みを引き起こす可能性があるという事実である。
【００１４】
欧州特許第０９４９４２４号明細書は、前部分が平坦にされたピンからなる木材の２つのパネルを接合するための器具を開示している。これは、ケーシング内で長手方向に移動可能な挿入板を形成し、張力領域、一のクランプ部分、一の拡張部分を有する。ピンの平坦な前部分は、時計方向に回転して器具をブロックし、家具の２つの部品を接合することができるカム要素を挿入するための開口部を有する。
【先行技術文献】
【特許文献】
【００１５】
【特許文献１】欧州特許第０９４９４２４号明細書
【発明の概要】
【発明が解決しようとする課題】
【００１６】
本発明の目的は、上記の欠点を解消することである。
【００１７】
より具体的には、本発明の目的は、接合される家具アイテムの２つの部品への同時の取り付けを可能にする家具部品及び家具の付属品のための接合器具を提供することにある。
【００１８】
本発明の別の目的は、組み立ての際に単一部品であり、且つ構成要素の数が少ない家具部品及び家具の付属品のための接合器具を提供することにある。
【００１９】
本発明の別の目的は、相互に組み付けられる部品に施される加工工程数を低減することができる接合器具を提供することにある。
【００２０】
本発明の別の目的は、組み付けられた部品間のクランプが緩む可能性のあるリスクを伴わない接合器具を提供することにある。
【００２１】
本発明の別の目的は、組立時間の短縮とともに容易で便利であり、家具アイテムの構成部品の迅速な組み立て及び分解（例えば、本棚の棚の取り付け）を可能にする接合器具を提供することにある。
【００２２】
本発明の別の目的は、長期間に亘る高レベルの耐性及び信頼性を保証し、さらには、容易且つ経済的な製作に適した家具部品又は家具の付属品のための接合器具を使用者に提供することにある。
【課題を解決するための手段】
【００２３】
これら及び他の目的は、請求項１に記載の特徴を有する本発明の装置によって達成される。
【００２４】
本発明によれば、棚ユニット、本棚、引き出しユニット、ベッドフレーム、台座等の家具部品及び家具の付属品のための接合器具（１０）であって、接合器具（１０）は接合すべき家具アイテムの構成要素の１つに形成された座へ挿入するのに適したケーシング又は容器体を備え、このケーシング又は容器体の第１の端部又は前部開口端部に対して外側に突出し且つ構成要素に接合すべき家具アイテムの別の構成要素の別の座と係合するのに適した拡張軸受筒を設け、ケーシング又は容器体が挿入され、接合器具は、縮軸受筒の拡張変形運動とケーシング又は容器体の少なくとも一部との同時拡張と協働する作動手段の直線運動のためのカム機構を備え、カム機構及び作動手段は、ケーシング又は容器体に収容され、工具によって作動させられる接合器具が提供される。
【００２５】
本発明の好適な実施形態は従属請求項から明らかである。
【００２６】
本発明の家具部品又は家具の付属品のための接合器具の構造的及び機能的特徴は、以下の詳細な説明により明らかにされる。その説明において添付の図面を参照するが、これらの図面は、限定されていない実施例の一例としての実施形態を示す。
【図面の簡単な説明】
【００２７】
【図１】本発明の家具部品又は家具の付属品を接合するための器具の構成を概略的に示す拡大不等角投影図である。
【図２Ａ】組み立てられ且つ作動させるために工具が組み付けられた本発明の器具の構成を概略的に示す不等角投影図である。
【図２Ｂ】作動工具を含む図２Ａの器具を上方から眺めた平面図であり、図２Ａの器具の作動の一の段階を示す。
【図２Ｃ】図２Ｂの丸で囲んだ部分の断面拡大図である。
【図２Ｄ】作動工具を含む図２Ａの器具を上方から眺めた平面図であり、図２Ａの器具の作動の次の段階を示す。
【図３】垂直の長手方向断面に沿って部分的に切断されて示される、作動工具を含む本発明の接合器具の作動段階の概略不等角投影図である。
【図４】図３に関連する本発明の器具の概略拡大図である。
【図５】垂直の長手方向断面に沿って部分的に切断されて示される、作動工具を含む本発明の接合器具の作動段階の概略不等角投影図である。
【図６】図５に関連する本発明の器具の概略拡大図である。
【図７】垂直の長手方向断面に沿って部分的に切断されて示される、作動工具を含む本発明の接合器具の作動段階の概略不等角投影図である。
【図８】図７に関連する本発明の器具の概略拡大図である。
【図９】本発明の接合器具を使用して組み立てるのに適した家具アイテムの構成を概略的に示す拡大不等角投影図であり、この家具アイテムは、本接合器具の収容形態を示すために部分的に切断されている。
【図１０】組み立てられ、本発明の接合器具の配置を示すために部分的に切断された図９の家具アイテムの構成を概略的に示す不等角投影図である。
【図１１】本発明の接合器具の詳細を拡大した概略図であり、この拡大された詳細は、図９の家具アイテムの部品の結合後の部品間のクランプの一の段階を示す。
【図１２】本発明の接合器具の詳細を拡大した概略図であり、この拡大された詳細は、図１０の家具アイテムの部品の結合後の部品間のクランプの次の段階を示す。
【発明を実施するための形態】
【００２８】
上述の図面を参照すると、本発明の家具部品又は家具の付属品のための接合器具は、以下、１０で示され、第１の端部すなわち前端部９０及び第２の端部すなわち後端部９１とされる両端が開放された実質的に円筒形のケーシング又は容器体１１を備える。容器体１１は、本発明の目的及び以下に記載される要素を収容するのに適した、一定の可撓性を有するプラスチック材料、又は別の材料からなる上側半シェル１２及び下側半シェル１４によって構成される。
【００２９】
上側半シェル１２と下側半シェル１４とは、上側半シェル１２（図４、図６、図８）に設けられた対応する一対の管状要素８０とスナップ結合する一対のペグ８０’を下側半シェル１４に設けることによって実現されるスナップ嵌め式の接続によって互いに接合される。当然のことながら、２つの半シェルの間の他の取り付けシステムを、例えば、ねじ又はグラブねじや、糊付け又は別の既知の適切な接続方法によって設けてもよい。
【００３０】
前述の半シェル１２と１４との間の結合に加え、容器体１１は、後部開口部９１に、対向する外部鋸歯状部分１５によって規定された一対の対向する長手方向スリット９２を有する。この後部開口部９１の縁部９３、又は外部鋸歯状部分１５の開口部は傾斜しており、すなわち、以下に述べる目的のために特定のテーパを有している。
【００３１】
上側半シェル１２及び下側半シェル１４は、それぞれ、以下にその機能を明確に示す貫通穴又は開口部１８及び１８’を有する。
【００３２】
ケーシング又は容器体１１の内部には、以下に説明するように、家具の部品間のクランプを行うのに適した構成要素が収容され、これらの構成要素は、
下側半シェル１４に配置された下側スライダ２０と、
上側半シェル１２に配置された上側スライダ２２と、
拡張軸受筒２４と、
カム機構２６と
を含む。
【００３３】
下側スライダ２０は、ケーシング又は容器体１１の下側半シェル１４の内部及び同軸に配置され、容器体と同軸であり且つ容器体の第１の端部又は前部開口端部の方向を指向する実質的に環状のヘッド部分２１と、容器体１１の第２の端部又は後部開口端部の方向を指向するベース部分２３と、ヘッド部分２１とベース部分２３との間に存在し且つ２つの半シェル１２及び１４の貫通穴又は開口部１８及び１８’と同軸である貫通スロット２７が設けられた中央部分２５と、を含む。スロット２７の前部には、ペグ８０’／管状要素８０の接続対の１つを収容するのに適した軸線方向に延伸する第２のスロット８１が設けられ、以下でより詳細に説明するように、第２のスロット８１はスライダ２０の軸線方向の摺動を可能にする。
【００３４】
上側スライダ２２は、下側スライダの上方且つ上側半シェル１２に配置され、容器体１１の前部開口端部の方向に展開され且つ下側スライダ２０のヘッド部分２１と同軸である円筒状の第１の部分２９と、以下に説明するように機能する容器体１１の後部開口端部に配置されたくさび形ベース部分８２と、２つの半シェル１２及び１４の穴又は開口部１８及び１８’ならびに下側スライダ２０の貫通スロット２７と同軸である貫通スロット３２を中心に設けられた中間部分３０と、を含む。中央スロット３２の前方及び後方には、前者が下側スライダ２０のスロット８１と一直線上に配置され、ペグ８０’／管状要素８０の接続対を収容するのに適した２つの別のスロット８１’、８１”が設けられ、以下でより詳細に説明するように、上側スライダ２２の軸線方向の摺動を可能にする。
【００３５】
上側スライダ２２のくさび形ベース部分８２は、容器体１１の傾斜縁部９３に配置された２つの対向する傾斜壁８５を有する。
【００３６】
拡張軸受筒２４は、図面に示す好ましい実施形態では、管状の単一部品であり（ただし、２つ以上の部品で構成することもできる）、上側スライダ２２の円筒状ステム２９に嵌め込まれ、下側スライダ２０のヘッド部分２１と同軸に一体化され、以下でより詳細に説明するように、円筒状ステム２９は、軸受筒内で軸線方向に摺動することができる。軸受筒２４の下側スライダ２０への取り付けは、スライダに設けられた環状の展開部３４からなるリブと、軸受筒に形成された対応する溝３６との間の結合によって行われる。
【００３７】
拡張軸受筒２４は、半径方向に形成された歯４０を外部に備えた４つの翼部３８を構成するように、先端に直径の垂直面に沿ったクロスカット３７を有する。
【００３８】
カム機構２６は、穴又は開口部１８及び１８’と同軸に配置され、穴又は開口部１８及び１８’の外径寸法及び下側スライダ２０の貫通スロット２７と上側スライダ２２の別の貫通スロット３２の横方向寸法に実質的に対応する外径寸法を有する円筒形の中央体４２を備える。事実、中央体４２は貫通スロット２７、別の貫通スロット３２、ならびに穴又は開口部１８及び１８’と係合して、以下に説明する移動を行う。
【００３９】
この中央体４２は、同様に、以下に詳述するカムの作動に適した工具５４（図１には図示せず）が挿入されるように成形された中心穴５２を備える。
【００４０】
カム機構２６の中央体４２の外側の側面から、その側面の中央部分に、第１のロブ４４又は下側ロブ及び第２のロブ４６又は上側ロブが形成され、これらのロブは互いに平行且つ中央体の軸線に垂直な２つの平面のそれぞれに沿って、実質的に対向し、以下に詳細に説明する機能のために、それぞれが下側スライダ２０の中央部分２５の内部輪郭と上側スライダ２２の中間部分３０の内部輪郭との接触に適している。
【００４１】
第１のロブ４４及び第２のロブ４６の輪郭は、下側スライダ２０及び上側スライダ２２を、以下の説明のように移動するように計算された運動法則又はリフト法則の関数として選択される。
【００４２】
構成上の特徴を参照しながら上述した本発明の家具部品及び家具の付属品のための接合器具の機能を、図３〜図８を参照して以下に説明する。
【００４３】
図３及び図４の拡大詳細Ｘを参照すると、本発明の接合器具の静止構成が示され、カム２６の中央体４２の中心穴５２に工具５４が挿入されている。
【００４４】
この構成では、上側スライダ２２は最大後方移動位置に存在する。
【００４５】
図５及び図６の拡大詳細Ｙは、本発明の器具の第１の作動変位における構成を示す。
【００４６】
より詳細には、矢印「Ａ」で示されるように、工具５４によって、カム機構２６に好ましくは９０°の回転が加えられ、その結果、第２のロブ４６又は上側ロブは、上側スライダ２２の中間部分３０の内部輪郭に推力作用を及ぼし、結果的に上側スライダ２２はケーシング又は容器体１１の前部開口端部の方向に並進する。
【００４７】
上側スライダ２２の円筒状ステム２９は、カム機構２６の第２のロブ４６によって加えられる推力作用に従い、下側スライダ２０に一体化された軸受筒２４の内部で同軸状に前進し、軸受筒２４の拡張を引き起こす翼部３８の開口部を径方向に（図５の矢印「Ｂ」によって示されるように）付勢する。
【００４８】
本発明の器具の第１の変位又は拡張の間、下側スライダ２０は静止したままである。
【００４９】
軸受筒２４の拡張と同時に、容器体１１の後部開口部９１の傾斜縁部９３に摺動する上側スライダ２２のくさび形ベース部分８２も同様に、図２Ｂ及び図２Ｄでより明確に理解され得るように、対向する外部鋸歯状部分１５の拡張を引き起こす。２つの鋸歯状部分１５は、最初に、傾斜縁部９３で互いに接合され、拡張の段階で分離される。
【００５０】
図７及び図８の拡大詳細Ｚを参照すると、本発明の接合器具の第２の移動構成が示されている。
【００５１】
図面の矢印「Ｃ」で示されるように、工具５４によって、カム機構２６に、さらに好ましくは９０°の回転が加えられる。この回転は、先に説明した第１の変位の構成から始まるものとする。
【００５２】
この回転の結果として、カム機構２６の第１ロブ４４又は下側ロブは、下側スライダ２０の中心輪郭２５の内部輪郭に推力作用を及ぼし、図７の矢印「Ｄ」で示すように、ケーシング又は容器体１１の後部開口部９１の方向に後退させる（第１のロブ４４は第２のロブ４６と実質的に対向している）。
【００５３】
拡張軸受筒２４が下側スライダ２０のヘッド部分２１に結合されていることを考慮すると、下側スライダの後方への変位は、結果的に関連する拡張軸受筒２４の後退をもたらす。この下側スライダは、拡張軸受筒２４に牽引作用を及ぼす。
【００５４】
下側スライダ２０のこの変位の間、上側スライダ２２は静止したままであり、カム機構２６の第２のロブ４６は係合したままである。ここで、拡張軸受筒２４もまた後方に移動することを考慮すると、上側スライダ２２の円筒状ステム２９が拡張軸受筒２４内でさらに係合し、翼部３８をさらに半径方向に開口させ、以下に説明するように家具部品の安定したクランプを行う。
【００５５】
いずれも長手方向に形成される下側スライダ２０の貫通スロット２７及び上側スライダ２２の別の貫通スロット３２は、工具５４によって回転方向に作動するカム機構２６に対するこれらのスライダの摺動を許容する。
【００５６】
図９〜図１２は、本発明の接合器具を用いて組み立てられた家具アイテムの一例を示す。
【００５７】
図９は、対向する２つの平行な肩部６２と、対向する肩部の間へ肩部に垂直に介在し、互いに平行な２つの棚６４とを備えている家具アイテム６０の拡大不等角投影図を示す。
【００５８】
棚６４の厚さ方向には、本発明の接合器具１０を収容する機能を有する溝又はポケット６６が形成され、軸受筒２４の前部がこのポケットから突出し且つ肩部６２の厚さ方向に形成された別のポケット６８へ適切に挿入されるように、本発明の接合器具１０がこの溝又はポケットへ挿入される。
【００５９】
棚６４は、同様に、溝又はポケット６６の軸に対して垂直に形成された穴７０を有し、この穴７０には工具５４が挿入され、工具５４はカム機構２６の中心穴５２と結合してクランプ動作を実行する。
【００６０】
図１１及び図１２は、本発明の接合器具を用いて組み立てられた家具アイテム６０の一部の２つの拡大された詳細を示しており、拡張軸受筒２４の前部が家具アイテムの肩部６２の別のポケット６８に挿入されている静止構成の棚６４の溝又はポケット６６に挿入された器具１０が示され（図１１の詳細）、さらに、拡張軸受筒が下側スライダ２０によって及ぼされる牽引作用に従い、別のポケットの壁にクランプし、その結果、肩部６２に対する棚６４の剛性で安定した接続が行われる第２の移動構成の器具１０が示されている。
【００６１】
実際には、カム機構２６の９０°に亘る第１の回転は、対向する外部鋸歯状端部の後部分１５の拡張をもたらし、その結果、溝又はポケット６６内の器具１０をロックし、溝又はポケット６６に対して半径方向の応力でクランプ作用を行う拡張軸受筒の翼部３８の開口に伴う拡張軸受筒２４の拡張を生じさせる。９０°に亘る第２の回転は、さらに、拡張軸受筒２４の後方への移動をもたらして拡張軸受筒２４をさらに拡張させる。半径方向の応力に引き起こされる家具アイテムの２つの構成要素の間の牽引応力が、このようにして、拘束具の緩みの危険無しに部品間の安定したクランプを実現する。
【００６２】
家具アイテムの随意的な分解は、工具５４を用いて、組み立て／クランプの段階を特徴付ける方向とは反対の方向に回転を加えることによって実現され、器具を静止構成に戻すことができる。この場合、必要であれば、もはや拘束されていない器具１０は、棚の溝又はポケット６６から抜き取られることもでき、対向する鋸歯状部分１５も非拡張位置に戻る。
【００６３】
特に、図１１の構成から図１２のクランプまでの工程は、工具５４を用いてカム２６に（好ましい実施形態に関して）１８０°の全体的な回転を加えることによって行われる。
【００６４】
上記から分かるように、本発明の家具部品又は家具の付属品のための接合器具が成し遂げる利点は明らかである。
【００６５】
本発明の家具部品及び家具の付属品のための接合器具によれば、専門家以外の使用者であっても、家具又は家具の付属品の組み立て／分解を迅速且つ容易に好適に行うことができる。実際には、接合器具、特にカム機構２６の構造的構成は、特定の又は高いトルク値を必要とせずに、単に（工具５４を用いて）このカム上に１８０°の全体的な回転を加えることによって、部品間のクランプ又はクランプ解除を行うことを可能にする。
【００６６】
カム機構の全体的な回転量は、好ましい実施形態を参照して説明したものとは異なることがあってもよいことに留意されたい。例えば、９０°又は３６０°であってもよく、この場合、それぞれ４５°又は１８０°となる半回転（第１の移動又は拡張の構成、及び第２の移動構成又は牽引作用）を伴う。
【００６７】
さらなる利点は、本発明の器具が、接続中の部品間の拘束が緩み得るリスクを回避するという事実である。実際には、第１の移動又は拡張の構成から開始される同じカムのさらなる回転を通じてカム機構により加えられた運動の影響による下側スライダの後方移動によって拡張軸受筒に及ぼされる牽引作用は、接続している家具部品間のクランプの拘束を強化してより安定させる。
【００６８】
別の利点は、本発明のクランプ器具のみが、２つの構成要素の一方の厚さ方向に形成された座に挿入された単一の構成要素（クランプ器具１０）を使用するだけで部品間に拘束及びクランプを形成することができるというものであり、例えば、軸受筒の拡張時の変形に（ピンを収容する構成要素に面する構成要素の厚さ方向に挿入される）偏心軸受筒を必要とする従来の拡張ピンのように、結合されなければならない別の部品を用いる必要がないというものである。
【００６９】
本発明の接合器具の別の利点は、接合器具を完全に隠したまま家具アイテムの部品の互いの接続を可能にし、組み立てた家具アイテム又は家具の付属品の高い審美的価値を保証することである。
【００７０】
接合すべき家具アイテムの２つの構成要素の間に過剰なクランプ力が必要とされない簡素化された実施形態では、上側スライダ２２の第１の移動、すなわちカム機構２６の第１の回転のみが提供され、この回転で軸受筒２４の拡張及び外部鋸歯状部分１５の拡張の両方が実施され、これにより、棚の溝又はポケット６６内へ器具１０をロックすると同時に、家具アイテムの肩部の別のポケット６８に器具１０を取り付けることができる。この場合、下側スライダ２０は不要であり、カム機構２６は上側ロブ４６のみを有することができる。
【００７１】
本発明は、限定されていない実施例の一例として各実施形態のうちの１つを特に参照して説明されたが、多くの変更及び変形が、上記の説明を参照した当業者にとっては明らかである。したがって、本発明は、以下の特許請求の範囲が主張する権利範囲内に入るすべての変更及び変形を包含することを意図する。
【図１】
2019516913.tif 000003
【図２Ａ】
2019516913.tif 000004
【図２Ｂ】
2019516913.tif 000005
【図２Ｃ】
2019516913.tif 000006
【図２Ｄ】
2019516913.tif 000007
【図３】
2019516913.tif 000008
【図４】
2019516913.tif 000009
【図５】
2019516913.tif 000010
【図６】
2019516913.tif 000011
【図７】
2019516913.tif 000012
【図８】
2019516913.tif 000013
【図９】
2019516913.tif 000014
【図１０】
2019516913.tif 000015
【図１１】
2019516913.tif 000016
【図１２】
2019516913.tif 000017
【国際調査報告】
2019516913.tif 000018
2019516913.tif 000019
2019516913.tif 000020